(57)【要約】【課題】製造コストを低減することが可能なＩＣタグおよびＩＣタグの製造方法を提供する。【解決手段】本発明に係るＩＣタグ１００は、第１の基材１と、この第１の基材１上に設けられ、長手方向に延びる矩形の形状を有する矩形アンテナ２と、この矩形アンテナ２の上方に設けられ、ループ状の形状を有するループアンテナ３と、このループアンテナ３に電気的に接続されたＩＣチップ４と、該矩形アンテナ２と該ループアンテナ３との間に形成された層間膜５と、を備える。【選択図】図１
2011113380.tif 000002
【特許請求の範囲】
【請求項１】
第１の基材と、
前記第１の基材上に設けられ、長手方向に延びる矩形の形状を有する矩形アンテナと、
前記矩形アンテナの上方に設けられ、ループ状の形状を有するループアンテナと、
前記ループアンテナに電気的に接続されたＩＣチップと、
前記矩形アンテナと前記ループアンテナとの間に形成された層間膜と、を備えることを特徴とするＩＣタグ。
【請求項２】
前記矩形アンテナの上方に、前記ループアンテナで囲まれる領域の一部のみが位置することを特徴とする請求項１に記載のＩＣタグ。
【請求項３】
前記ループアンテナで囲まれる領域の一部は、前記ループアンテナで囲まれる領域の中心から外れた領域であることを特徴とする請求項２に記載のＩＣタグ。
【請求項４】
前記ループアンテナは、前記矩形アンテナの長手方向に平行な２つの第１の辺と、前記矩形アンテナの長手方向と直交する前記矩形アンテナの幅方向に平行な２つの第２の辺と、で構成される矩形ループアンテナであり、
２つの前記第１の辺のうちの１つのみが、前記矩形アンテナの上方に位置することを特徴とする請求項１ないし３のいずれか一項に記載のＩＣタグ。
【請求項５】
前記矩形アンテナの長さは、前記ループアンテナの前記第１の辺の長さよりも長いことを特徴とする請求項４に記載のＩＣタグ。
【請求項６】
前記ＩＣチップは、２つの前記第１の辺のうちの１つに接続されていることを特徴とする請求項４に記載のＩＣタグ。
【請求項７】
前記矩形アンテナは、金属箔であることを特徴とする請求項１に記載のＩＣタグ。
【請求項８】
前記ループアンテナと前記矩形アンテナとの相対的な位置関係に応じて、質問器との交信距離が異なる
ことを特徴とする請求項１ないし９のいずれか一項に記載のＩＣタグ。
【請求項９】
質問器との交信周波数は、８００ＭＨｚから１０ＧＨｚの範囲であることを特徴とする請求項１ないし８のいずれか一項に記載のＩＣタグ。
【請求項１０】
前記ＩＣチップは、前記矩形アンテナおよび前記ループアンテナを介して、質問器へ情報を読み出し、または、前記質問器から前記矩形アンテナおよび前記ループアンテナを介して入力された情報を記憶する
ことを特徴とする請求項１に記載のＩＣタグ。
【請求項１１】
前記ＩＣチップは、前記ループアンテナの下部に接続されていることを特徴とする請求項１に記載のＩＣタグ。
【請求項１２】
前記ループアンテナは、前記ループアンテナの上面が露出するように前記層間膜に埋め込まれている
ことを特徴とする請求項１１に記載のＩＣタグ。
【請求項１３】
前記層間膜上および前記ループアンテナ上に設けられた第２の基材をさらに備えることを特徴とする請求項１２に記載のＩＣタグ。
【請求項１４】
前記ＩＣチップは、前記ループアンテナの上部に接続されていることを特徴とする請求項１に記載のＩＣタグ。
【請求項１５】
前記層間膜上に設けられた第２の基材をさらに備え、
前記ループアンテナは、前記第２の基材上に設けられていることを特徴とする請求項１４に記載のＩＣタグ。
【請求項１６】
前記第１の基材は、紙はたはフィルムの何れかであることを特徴とする請求項１に記載のＩＣチップ。
【請求項１７】
前記第２の基材は、紙はたはフィルムの何れかであることを特徴とする請求項１４または１５に記載のＩＣチップ。
【請求項１８】
前記第１の基材と前記矩形アンテナとの間に設けられ、前記第１の基材と前記矩形アンテナとを固定する接着膜を、さらに備える
ことを特徴とする請求項1に記載のＩＣタグ。
【請求項１９】
前記接着膜は、熱可塑性接着剤で構成されていることを特徴とする請求項１８に記載のＩＣタグ。
【請求項２０】
前記熱可塑性接着剤は、エチルビニルアセテート（ＥＶＡ）樹脂、ポリウレタン樹脂、または、アクリル樹脂の何れかである
ことを特徴とする請求項１９に記載のＩＣタグ。
【請求項２１】
前記層間膜は、アクリルゴムであることを特徴とする請求項１に記載のＩＣタグ。
【請求項２２】
前記ループアンテナの表面抵抗値および前記矩形アンテナの表面抵抗値は、幅１ｍｍ、長さ１０ｍｍの領域において０．０１Ω〜１０Ωの範囲であることを特徴とする請求項1に記載のＩＣタグ。
【請求項２３】
第１の基材と、前記第１の基材上に設けられ、長手方向に延びる矩形の形状を有する矩形アンテナと、この矩形アンテナの上方に設けられ、ループ状の形状を有するループアンテナと、このループアンテナに電気的に接続されたＩＣチップと、前記矩形アンテナと前記ループアンテナとの間に形成された層間膜と、を有するＩＣタグの製造方法であって、
第１の基材を準備する工程と、
帯状の導電材料テープから、前記第１の基材上に前記矩形アンテナを形成する工程と、
前記ループアンテナを、前記層間膜を介して矩形アンテナの上方に配置する工程と、を備えることを特徴とするＩＣタグの製造方法。
【請求項２４】
前記導電材料テープの所定の長さの部分を熱圧着により前記第１の基材に固定後、前記導電材料テープの固定されていない部分を断裁することにより、前記矩形アンテナを前記第１の基材上に形成する
ことを特徴とする請求項２３に記載のＩＣタグの製造方法。
【請求項２５】
前記導電材料テープの所定の長さの部分を断裁した後、断裁された前記所定の長さの部分を、熱圧着により前記第１の基材に固定することにより、前記矩形アンテナを前記第１の基材上に形成する
ことを特徴とする請求項２３に記載のＩＣタグの製造方法。
【請求項２６】
前記導電材料テープは、導体膜と、前記導体膜の一方の面に設けられ、熱可塑性接着剤で構成された接着膜と、を含み、
前記接着膜と前記第１の基材とが接した状態で、前記熱圧着により、前記第１の基材と前記導体膜とが前記接着膜で固定される
ことを特徴とする請求項２４または２５に記載のＩＣタグの製造方法。
【請求項２７】
前記導電材料テープは、接着膜、導体膜、剥離層、およびフィルムが順次積層された積層構造を含み、
前記接着膜は、熱可塑性接着剤で構成され、
前記接着膜と前記第１の基材とが接した状態で、前記熱圧着により、前記剥離層から熱により前記導体膜が剥離するとともに、前記第１の基材と前記導体膜とが前記接着膜で固定される
ことを特徴とする請求項２４または２５に記載のＩＣタグの製造方法。
【請求項２８】
前記第１の基板上に形成された前記矩形アンテナの長手方向の側面が、断裁された部分であることを特徴とする請求項２４または２５に記載のＩＣタグの製造方法。
【請求項２９】
前記第１の基板上に形成された前記矩形アンテナの幅方向の側面が、断裁された部分であることを特徴とする請求項２４または２５に記載のＩＣタグの製造方法。
【請求項３０】
前記矩形アンテナの上方に、前記ループアンテナで囲まれる領域の一部のみが位置することを特徴とする請求項２３ないし２９のいずれか一項に記載のＩＣタグの製造方法。
【請求項３１】
前記ループアンテナで囲まれる領域の一部は、前記ループアンテナで囲まれる領域の中心から外れた領域であることを特徴とする請求項３０に記載のＩＣタグの製造方法。
【請求項３２】
前記ループアンテナは、前記矩形アンテナの長手方向に平行な２つの第１の辺と、前記矩形アンテナの長手方向と直交する前記矩形アンテナの幅方向に平行な２つの第２の辺と、で構成される矩形ループアンテナであり、
２つの前記第１の辺のうちの１つのみが、前記矩形アンテナの上方に位置することを特徴とする請求項２３ないし３１のいずれか一項に記載のＩＣタグの製造方法。
【請求項３３】
前記矩形アンテナの長さは、前記ループアンテナの前記第１の辺の長さよりも長いことを特徴とする請求項３２に記載のＩＣタグの製造方法。
【請求項３４】
前記ＩＣチップは、２つの前記第１の辺のうちの１つに接続されていることを特徴とする請求項３２に記載のＩＣタグの製造方法。
【発明の詳細な説明】
【技術分野】
【０００１】
本発明は、非接触情報通信を行うＩＣ（Ｉｎｔｅｇｒａｔｅｄ  Ｃｉｒｃｕｉｔ）タグおよびＩＣタグの製造方法に関する。
【背景技術】
【０００２】
従来のＩＣタグの製造方法には、紙材およびこの紙材上に載置されたＡｌ膜を打ち抜くことにより、複雑な形状のスリットを有する、ＩＣタグのアンテナを形成するものがある（例えば、特許文献１参照。）。
【０００３】
このように、従来のＩＣタグのアンテナは、複雑なパターンを有している。そして、このような複雑なパターンを有するアンテナを形成するためには、製版等の前工程、パターンを再現するための製造工程、パターンの品質を管理する検査工程等が必要になる。すなわち、生産の負荷が大きくなる。
【０００４】
したがって、上記従来のＩＣタグの製造方法では、製造コストが高くなるという問題がある。
【特許文献１】特開２００６-１８５０３９号公報
【発明の開示】
【発明が解決しようとする課題】
【０００５】
本発明は、製造コストを低減することが可能なＩＣタグおよびＩＣタグの製造方法を提供する。
【課題を解決するための手段】
【０００６】
本発明の一態様に係るＩＣタグは、
第１の基材と、
前記第１の基材上に設けられ、前記第１の基材の長手方向に延びる矩形の形状を有する矩形アンテナと、
前記矩形アンテナの上方に設けられ、ループ状の形状を有するループアンテナと、
前記ループアンテナに電気的に接続されたＩＣチップと、
前記矩形アンテナと前記ループアンテナとの間に形成された層間膜と、を備えることを特徴とする。
【０００７】
また、本発明の一態様に係るＩＣタグにおいて、前記矩形アンテナの上方に、前記ループアンテナで囲まれる領域の一部のみが位置するようにしてもよい。
【０００８】
また、本発明の一態様に係るＩＣタグは、前記ループアンテナで囲まれる領域の一部は、前記ループアンテナで囲まれる領域の中心から外れた領域であるようにしてもよい。
【０００９】
また、本発明の一態様に係るＩＣタグにおいて、前記ループアンテナは、前記矩形アンテナの長手方向に平行な２つの第１の辺と、前記矩形アンテナの長手方向と直交する前記矩形アンテナの幅方向に平行な２つの第２の辺と、で構成される矩形ループアンテナであり、
２つの前記第１の辺のうちの１つのみが、前記矩形アンテナの上方に位置するようにしてもよい。
【００１０】
また、本発明の一態様に係るＩＣタグにおいて、前記矩形アンテナの長さは、前記ループアンテナの前記第１の辺の長さよりも長いことを特徴とする請求項４に記載のＩＣタグ。
【００１１】
また、本発明の一態様に係るＩＣタグにおいて、前記ＩＣチップは、２つの前記第１の辺のうちの１つに接続されているようにしてもよい。
【００１２】
また、本発明の一態様に係るＩＣタグにおいて、前記矩形アンテナは、金属箔であるようにしてもよい。
【００１３】
また、本発明の一態様に係るＩＣタグにおいて、前記ループアンテナと前記矩形アンテナとの相対的な位置関係に応じて、質問器との交信距離が異なるようにしてもよい。
【００１４】
また、本発明の一態様に係るＩＣタグにおいて、質問器との交信周波数は、８００ＭＨｚから１０ＧＨｚの範囲であるようにしてもよい。
【００１５】
また、本発明の一態様に係るＩＣタグにおいて、前記ＩＣチップは、前記矩形アンテナおよび前記ループアンテナを介して、質問器へ情報を読み出し、または、前記質問器から前記矩形アンテナおよび前記ループアンテナを介して入力された情報を記憶するようにしてもよい。
【００１６】
また、本発明の一態様に係るＩＣタグにおいて、前記ＩＣチップは、前記ループアンテナの下部に接続されているようにしてもよい。
【００１７】
また、本発明の一態様に係るＩＣタグにおいて、前記ループアンテナは、前記ループアンテナの上面が露出するように前記層間膜に埋め込まれているようにしてもよい。
【００１８】
また、本発明の一態様に係るＩＣタグにおいて、  前記層間膜上および前記ループアンテナ上に設けられた第２の基材をさらに備えるようにしてもよい。
【００１９】
また、本発明の一態様に係るＩＣタグにおいて、前記ＩＣチップは、前記ループアンテナの上部に接続されているようにしてもよい。
【００２０】
また、本発明の一態様に係るＩＣタグにおいて、前記層間膜上に設けられた第２の基材をさらに備え、
前記ループアンテナは、前記第２の基材上に設けられているようにしてもよい。
【００２１】
また、本発明の一態様に係るＩＣタグにおいて、前記第１の基材は、紙はたはフィルムの何れかであるようにしてもよい。
【００２２】
また、本発明の一態様に係るＩＣタグにおいて、前記第２の基材は、紙はたはフィルムの何れかであるようにしてもよい。
【００２３】
また、本発明の一態様に係るＩＣタグにおいて、前記第１の基材と前記矩形アンテナとの間に設けられ、前記第１の基材と前記矩形アンテナとを固定する接着膜を、さらに備えるようにしてもよい。
【００２４】
また、本発明の一態様に係るＩＣタグにおいて、前記接着膜は、熱可塑性接着剤で構成されているようにしてもよい。
【００２５】
また、本発明の一態様に係るＩＣタグにおいて、前記熱可塑性接着剤は、エチルビニルアセテート（ＥＶＡ）樹脂、ポリウレタン樹脂、または、アクリル樹脂の何れかであるようにしてもよい。
【００２６】
また、本発明の一態様に係るＩＣタグにおいて、前記層間膜は、アクリルゴムであるようにしてもよい。
【００２７】
また、本発明の一態様に係るＩＣタグにおいて、前記ループアンテナの表面抵抗値および前記矩形アンテナの表面抵抗値は、幅１ｍｍ、長さ１０ｍｍの領域において０．０１Ω〜１０Ωの範囲であるようにしてもよい。
【００２８】
また、本発明の一態様に係るＩＣタグの製造方法において、第１の基材と、前記第１の基材上に設けられ、長手方向に延びる矩形の形状を有する矩形アンテナと、この矩形アンテナの上方に設けられ、ループ状の形状を有するループアンテナと、このループアンテナに電気的に接続されたＩＣチップと、前記矩形アンテナと前記ループアンテナとの間に形成された層間膜と、を有するＩＣタグの製造方法であって、
第１の基材を準備する工程と、
帯状の導電材料テープから、前記第１の基材上に前記矩形アンテナを形成する工程と、
前記ループアンテナを、前記層間膜を介して矩形アンテナの上方に配置する工程と、を備えることを特徴とする。
【００２９】
また、本発明の一態様に係るＩＣタグの製造方法において、
前記導電材料テープの所定の長さの部分を熱圧着により前記第１の基材に固定後、前記導電材料テープの固定されていない部分を断裁することにより、前記矩形アンテナを前記第１の基材上に形成するようにしてもよい。
【００３０】
また、本発明の一態様に係るＩＣタグの製造方法において、前記導電材料テープの所定の長さの部分を断裁した後、断裁された前記所定の長さの部分を、熱圧着により前記第１の基材に固定することにより、前記矩形アンテナを前記第１の基材上に形成するようにしてもよい。
【００３１】
また、本発明の一態様に係るＩＣタグの製造方法において、前記導電材料テープは、導体膜と、前記導体膜の一方の面に設けられ、熱可塑性接着剤で構成された接着膜と、を含み、
前記接着膜と前記第１の基材とが接した状態で、前記熱圧着により、前記第１の基材と前記導体膜とが前記接着膜で固定されるようにしてもよい。
【００３２】
また、本発明の一態様に係るＩＣタグの製造方法において、前記導電材料テープは、接着膜、導体膜、剥離層、およびフィルムが順次積層された積層構造を含み、
前記接着膜は、熱可塑性接着剤で構成され、
前記接着膜と前記第１の基材とが接した状態で、前記熱圧着により、前記剥離層から熱により前記導体膜が剥離するとともに、前記第１の基材と前記導体膜とが前記接着膜で固定されるようにしてもよい。
【００３３】
また、本発明の一態様に係るＩＣタグの製造方法において、前記第１の基板上に形成された前記矩形アンテナの長手方向の側面が、断裁された部分であるようにしてもよい。
【００３４】
また、本発明の一態様に係るＩＣタグの製造方法において、前記第１の基板上に形成された前記矩形アンテナの幅方向の側面が、断裁された部分であるようにしてもよい。
【００３５】
また、本発明の一態様に係るＩＣタグの製造方法において、前記矩形アンテナの上方に、前記ループアンテナで囲まれる領域の一部のみが位置するようにしてもよい。
【００３６】
また、本発明の一態様に係るＩＣタグの製造方法において、  前記ループアンテナで囲まれる領域の一部は、前記ループアンテナで囲まれる領域の中心から外れた領域であるようにしてもよい。
【００３７】
また、本発明の一態様に係るＩＣタグの製造方法において、前記ループアンテナは、前記矩形アンテナの長手方向に平行な２つの第１の辺と、前記矩形アンテナの長手方向と直交する前記矩形アンテナの幅方向に平行な２つの第２の辺と、で構成される矩形ループアンテナであり、
２つの前記第１の辺のうちの１つのみが、前記矩形アンテナの上方に位置するようにしてもよい。
【００３８】
また、本発明の一態様に係るＩＣタグの製造方法において、前記矩形アンテナの長さは、前記ループアンテナの前記第１の辺の長さよりも長いようにしてもよい。
【００３９】
また、本発明の一態様に係るＩＣタグの製造方法において、  前記ＩＣチップは、２つの前記第１の辺のうちの１つに接続されているようにしてもよい。
【発明の効果】
【００４０】
本発明に係るＩＣタグおよびＩＣタグの製造方法によれば、製造コストを低減することができる。
【図面の簡単な説明】
【００４１】
【図１】本発明の一態様である実施例１に係るＩＣタグ１００の構成の一例を示す上面図である。
【図２】図１に示すＩＣタグ１００のＡ−Ａ線に沿った断面の一例を表す断面図である。
【図３】図１に示すＩＣタグ１００のＡ−Ａ線に沿った断面の他の例を表す断面図である。
【図４】図１に示すＩＣタグ１００の矩形アンテナ２を形成する工程の一例を示す図である。
【図５】図４に示す導電材料テープ１０２ａの構成の一例を示す断面図である。
【図６】図４に示す導電材料テープ１０２ａの構成の他の例を示す断面図である。
【図７】図１に示すＩＣタグ１００の矩形アンテナ２を形成する工程の他の例を示す図である。
【発明を実施するための最良の形態】
【００４２】
以下、本発明に係る各実施例について図面に基づいて説明する。
【実施例１】
【００４３】
図１は、本発明の一態様である実施例１に係るＩＣタグ１００の構成の一例を示す上面図である。また、図２は、図１に示すＩＣタグ１００のＡ−Ａ線に沿った断面の一例を表す断面図である。また、図３は、図１に示すＩＣタグ１００のＡ−Ａ線に沿った断面の他の例を表す断面図である。
【００４４】
図１に示すように、ＩＣタグ１００は、第１の基材（矩形アンテナ用基材）１と、矩形アンテナ２と、ループアンテナ３と、ＩＣチップ４と、層間膜５と、第２の基材（ループアンテナ用基材）６と、接着膜７と、を備える。
【００４５】
第１の基材１は、矩形の形状を有する。例えば、第１の基材１の厚さは、１２μｍ〜３８μｍである。
【００４６】
この第１の基材１は、例えば、紙、フィルム等で構成されている。なお、この第１の基材１に用いられるフィルムの素材としては、例えば、ＰＥＴ（ポリエチレンテレフタレート）、ＰＥＴ−Ｇ（テレフタル酸−シクロヘキサンジメタノール−エチレングリコール共重合体）、ＰＰ（ポリプロピレン）、ＰＥ（ポリエチレン）、ＰＣ（ポリカーボネート）、ＰＡ（ポリアミド）、ＰＰＳ（ポリフェニレンサルフイド）、ポリ塩化ビニル、塩化ビニル−酢酸ビニル共重合体、セルロースジアセテート、セルローストリアセテート、ポリスチレン系、ＡＢＳ、ポリアクリル酸エステル、ポリエチレン、ポリウレタン等が選択される。
【００４７】
矩形アンテナ２は、第１の基材１上に設けられ、第１の基材１の長手方向に延びる矩形の形状を有する。この矩形アンテナ２は、導体で構成される。すなわち、この矩形アンテナ２は、例えば、Ａｌ、Ａｇ等の金属箔で構成される。
【００４８】
なお、矩形アンテナ２の表面抵抗値は、例えば、幅１ｍｍ、長さ１０ｍｍの領域において０．０１Ω〜１０Ωの範囲である。
【００４９】
また、例えば、ＵＨＦ帯（９００ＭＨｚ程度）での使用を想定した場合、矩形アンテナ２の長手方向の長さは１５ｃｍ程度となる。また、この矩形アンテナ２の幅方向の幅は５ｍｍ程度でありある。この矩形アンテナ２の厚さは９μｍ〜２０μｍである。
【００５０】
この矩形アンテナ２は、後述のように、帯状の導電材料テープから、貼付、転写、または、接着により、第１の基材１上に、所定の長さで形成される。
【００５１】
ループアンテナ３は、矩形アンテナ２の上方に設けられ、矩形状に巻くループ状の形状を有する。このループアンテナ３と矩形アンテナ２との間は、例えば、電磁結合、電磁誘導、静電結合の１つ、又は組み合わせにより非接触で電気、信号を伝達することがきるようになっている。
【００５２】
図２の例では、ループアンテナ３は、ループアンテナ３の上面が露出するように層間膜５に埋め込まれている。
【００５３】
一方、図３の例では、ループアンテナ３は、第２の基材６上に形成されている。
【００５４】
このループアンテナ３は、矩形アンテナ２の長手方向に平行な２つの第１の辺３ａ１、３ａ２と、矩形アンテナ２の長手方向と直交する矩形アンテナ２の幅方向に平行な２つの第２の辺３ｂ１、３ｂ２と、で構成される矩形ループアンテナである。
【００５５】
ここで、矩形アンテナ２の上方に、ループアンテナ３で囲まれる領域の一部３ｃのみが位置する（図１ないし図３）。そして、ループアンテナ３で囲まれる領域の一部３ｃは、ループアンテナ３で囲まれる領域の中心３ｄから外れた領域である。
【００５６】
このループアンテナ３の２つの第１の辺３ａ１、３ａ２のうちの１つ（ここでは、第１の辺３ａ１）のみが、矩形アンテナ２の上方に位置する。
【００５７】
なお、矩形アンテナ２の長手方向の長さは、ループアンテナ３の第１の辺３ａ１、３ａ２の長さよりも長くなるように設定されている。
【００５８】
また、例えば、ループアンテナ３の長手方向の第１の辺３ａ１、３ａ２の長さは、１５ｍｍ程度であり、ループアンテナ３の幅方向の第２の辺３ｂ１、３ｂ２の長さは、１０ｍｍ程度である。
【００５９】
なお、ループアンテナ３の表面抵抗値は、例えば、幅１ｍｍ、長さ１０ｍｍの領域において０．０１Ω〜１０Ωの範囲である。
【００６０】
このループアンテナ３は、例えば、第２の基材６の表面に、貼付、転写、または、接着等により形成される。
【００６１】
なお、このループアンテナ３は、例えば、略円形状等の他の形状を有していてもよい。
【００６２】
ＩＣチップ４は、ループアンテナ３に電気的に接続されている。すなわち、ＩＣチップ４は、ループアンテナ３の２つの第１の辺３ａ１、３ａ２のうちの１つ（ここでは、第１の辺３ａ２）に接続されている。
【００６３】
図２の例では、ＩＣチップ４は、ループアンテナ３の下部に接続されている。一方、図３の例では、ＩＣチップ４は、ループアンテナ３の上部に接続されている。
【００６４】
このＩＣチップ４は、情報を記憶するためのメモリ部（図示せず）と、該メモリ部への情報の記憶動作、該メモリ部からの情報の読み出し動作、および、無線通信動作を制御する制御部（図示せず）を有する。
【００６５】
このＩＣチップ４は、矩形アンテナ２およびループアンテナ３を介して、図示しないリーダ・ライタ等の質問器（Ｉｎｔｅｒｒｏｇａｔｏｒ）へ情報を読み出し、または、該質問器から矩形アンテナ２およびループアンテナ３を介して入力された情報を記憶する。
【００６６】
層間膜５は、矩形アンテナ２とループアンテナ３との間に形成されている。この層間膜５は、例えば、アクリルゴム等の粘着剤で構成される。この場合、層間膜５は、第１の基板１と第２の基板６とを固定（接着）する役割を有する。
【００６７】
第２の基材６は、図２の例では、層間膜５上およびループアンテナ３上に設けられている。
【００６８】
一方、図３の例では、第２の基材６は、層間膜５上に設けられている。この第２の基材６上にループアンテナ３が設けられている。
【００６９】
この第２の基材６は、例えば、紙、フィルム等で構成されている。なお、この第２の基材６に用いられるフィルムの素材としては、既述の第１の基材１に用いられるフィルムの素材と同様の素材が用いられる。
【００７０】
接着膜７は、第１の基材１と矩形アンテナ２との間に設けられている。この接着膜７は、第１の基材１と矩形アンテナ２とを固定（接着）するようになっている。
【００７１】
接着膜７は、例えば、熱可塑性接着剤で構成されている。この熱可塑性接着剤は、例えば、エチルビニルアセテート（ＥＶＡ）樹脂、ポリウレタン樹脂、または、アクリル樹脂の何れかである。
【００７２】
以上のような構成を有するＩＣタグ１００は、ＩＣチップ４から、矩形アンテナ２およびループアンテナ３を介して、該質問器へ情報を読み出し、または、該質問器から矩形アンテナ２およびループアンテナ３を介して入力された情報をＩＣチップ４へ記憶する。
【００７３】
また、ＩＣタグ１００は、ループアンテナ３と矩形アンテナ２との相対的な位置関係に応じて、該質問器との交信距離が異なるようになっている。このＩＣタグ１００は、該質問器との交信周波数が、例えば、８００ＭＨｚから１０ＧＨｚの範囲である。
【００７４】
また、ＩＣタグ１００は、ループアンテナ３に接続されるＩＣチップ４のインピーダンスと矩形アンテナ２のインピーダンスとを整合することにより、受信電力を向上することができるようになっている。
【００７５】
なお、ループアンテナ３の巻き数を調整することにより、誘起電圧を調整することもできる。
【００７６】
次に、以上のような構成を有するＩＣタグ１００の製造方法の一例について説明する。
【００７７】
図４は、図１に示すＩＣタグ１００の矩形アンテナ２を形成する工程の一例を示す図である。また、図５は、図４に示す導電材料テープ１０２ａの構成の一例を示す断面図である。また、図６は、図４に示す導電材料テープ１０２ａの構成の他の例を示す断面図である。
【００７８】
先ず、図４（ａ）に示すように、第１の基材１を含む基材１０１を準備する。そして、案内手段１０により、導電材料テープ１０２ａを基材１０１の表面近傍に案内する。
【００７９】
ここで、導電材料テープ１０２ａは、例えば、図５に示すように、接着膜１０２ａ１と、導体膜１０２ａ２と、を含む。なお、接着膜１０２ａ１は、図１ないし図３に示すＩＣタグ１００の接着膜７になる。また、接着膜１０２ａ１は、導体膜１０２ａ２の一方の面（下面）に設けられ、熱可塑性接着剤で構成されている。この導体膜１０２ａ２は、図１ないし図３に示すＩＣタグ１００の矩形アンテナ２の導電膜になる。
【００８０】
次に、図４（ｂ）に示すように、導電材料テープ１０２ａの所定の長さの部分を、熱圧着機２０を用いて、熱圧着により第１の基材１に固定する。すなわち、導電材料テープ１０２ａの接着膜１０２ａ１と第１の基材１とが接した状態で、該熱圧着により、第１の基材１と導体膜１０２ａ２とが接着膜１０２ａ１で固定される。
【００８１】
その後、導電材料テープ１０２ａの固定されていない部分を、断裁機３０を用いて断裁する。さらに、除去装置４０により、裁断された導電材料テープ１０２ａの不要部分を吸引除去する。
【００８２】
これにより、図４（ｃ）に示すように、矩形アンテナ２を第１の基材１上に形成することができる。なお、図４の例では、第１の基板１上に形成された矩形アンテナ２の幅方向の側面が、断裁された部分２ａである。しかし、第１の基板１上に形成された矩形アンテナ２の長手方向の側面を断裁するようにしてもよい。
【００８３】
以上の工程により、リール１０２に収納された帯状の導電材料テープ１０２ａから、第１の基材１上に矩形アンテナ２を形成する。
【００８４】
そして、このようにして得られた矩形アンテナ２が表面に形成された第１の基材１と、ループアンテナ２が表面に形成された第２の基材６とを、層間膜５により接着する。すなわち、ループアンテナ２を、層間膜５を介して矩形アンテナ２の上方に配置することにより、図１ないし図３に示すＩＣタグ１００が完成する。
【００８５】
以上のように、第１の基板１上に矩形アンテナ２を、既述の従来技術と比較して、容易に形成することができる。
【００８６】
なお、図４（ｂ）に示す矩形アンテナ２の形成工程において、熱圧着工程と断裁工程とを入れ替えてもよい。すなわち、導電材料テープ１０２ａの所定の長さの部分を断裁した後、断裁された所定の長さの部分を、熱圧着により第１の基材１に固定する。これにより、図４（ｃ）に示すように、矩形アンテナ２を第１の基材１上に形成するようにしてもよい。
【００８７】
また、導電材料テープ１０２ａは、図６に示すように、接着膜１０２ａ３、導体膜１０２ａ４、剥離層１０２ａ５、およびフィルム１０２ａ６が順次積層された積層構造を、含むようにしてもよい。なお、接着膜１０２ａ３は、熱可塑性接着剤で構成される。
【００８８】
この場合、接着膜１０２ａ３と第１の基材１とが接した状態で、該熱圧着により、剥離層１０２ａ５が熱により導体膜１０２ａ４から剥離するとともに、第１の基材１と導体膜１０２ａ４とが接着膜１０２ａ３で固定される（図４（ｃ））。なお、接着膜１０２ａ３は、図１ないし図３に示すＩＣタグ１００の接着膜７になる。また、導体膜１０２ａ４は、図１ないし図３に示すＩＣタグ１００の矩形アンテナ２の導電膜になる。
【００８９】
次に、ＩＣタグ１００の製造方法の他の例について説明する。  
図７は、図１に示すＩＣタグ１００の矩形アンテナ２を形成する工程の他の例を示す図である。
【００９０】
先ず、図７（ａ）に示すように、第１の基材１を含む基材１０１を準備する。そして、送り手段５０ａ、５０ｂにより導電材料テープ２０２ａを送りつつ、案内手段６０により導電材料テープ２０２ａを基材１０１の表面近傍に案内する。ここで、導電材料テープ２０２ａは、例えば、既述の図５に示すように、接着膜と、導体膜と、を含む。
【００９１】
次に、導電材料テープ２０２ａの所定の長さの部分を、断裁機７０を用いて断裁する。
【００９２】
次に、断裁した導電材料テープ２０２ａを熱圧着により第１の基材１に固定する。すなわち、該熱圧着により、第１の基材１と導電材料テープ２０２ａの導体膜とが、導電材料テープ２０２ａの接着膜で、固定される。
【００９３】
これにより、矩形アンテナ２を第１の基材１上に形成することができる（図７（ｂ））。
【００９４】
以上の工程により、リール２０２に収納された帯状の導電材料テープ２０２ａから、第１の基材１上に矩形アンテナ２を形成する。
【００９５】
そして、このようにして得られた矩形アンテナ２が表面に形成された第１の基材１と、ループアンテナ２が表面に形成された第２の基材６とを、層間膜５により接着する。すなわち、ループアンテナ２を、層間膜５を介して矩形アンテナ２の上方に配置することにより、図１ないし図３に示すＩＣタグ１００が完成する。
【００９６】
以上のように、第１の基板１上に矩形アンテナ２を、既述の従来技術と比較して、容易に形成することができる。
【００９７】
なお、図７の例では、第１の基板１上に形成された矩形アンテナ２の長手方向の側面が、断裁された部分２ｂである。すなわち、図７の例は、図４に示すような幅方向の側面を断裁する場合と比較して、例えば、導電材料テープの送り速度が同じ場合、スループットを向上することができる。
【００９８】
このように、第１の基板１上に矩形アンテナ２を、既述の従来技術と比較して、容易に形成することができる。
【００９９】
すなわち、以上のように、本実施例に係るＩＣタグおよびＩＣタグの製造方法によれば、製造コストを低減することができる。
【符号の説明】
【０１００】
１  第１の基材（矩形アンテナ用基材）
２  矩形アンテナ
断裁された部分  ２ａ、２ｂ
３  ループアンテナ
３ａ１、３ａ２  第１の辺
３ｂ１、３ｂ２  第２の辺
４  ＩＣチップ
５  層間膜
６  第２の基材（ループアンテナ用基材）
１０  案内手段
２０  熱圧着機
３０、７０  断裁機
４０  除去装置
５０  送り手段
６０  案内手段
１００  ＩＣタグ
１０１  基材
１０２、２０２  リール
１０２ａ、２０２ａ  導電材料テープ
【図１】
2011113380.tif 000003
【図２】
2011113380.tif 000004
【図３】
2011113380.tif 000005
【図４】
2011113380.tif 000006
【図５】
2011113380.tif 000007
【図６】
2011113380.tif 000008
【図７】
2011113380.tif 000009